(57)【特許請求の範囲】
【請求項１】
第１のケースに、最も幅の大きな大幅部、次に幅の大きな中幅部、最も幅の小さな小幅部を有する爪部が少なくとも２つ設けられ、
前記大幅部、前記中幅部及び前記小幅部は、一体の平板として上下方向に延び、
前記第１のケースに保持される第２のケースに、前記大幅部が挿入される大幅穴部、前記中幅部が挿入される中幅穴部、前記小幅部が挿入される小幅穴部からなる穴部が前記爪部と同数設けられ、
前記爪部は、その先端部に向かって順に前記小幅部、前記中幅部、前記大幅部が配置され、前記穴部は、前記大幅穴部と前記中幅穴部との間に前記小幅穴部が設けられ、
前記平板の両面が指向する方向に、前記大幅穴部、前記小幅穴部及び前記中幅穴部が並んでいることを特徴とするケース仮保持構造。
【請求項２】
前記穴部は略水平面に形成され、前記爪部は上下方向に延びていることを特徴とする請求項１に記載のケース仮保持構造。
【請求項３】
前記爪部の前記中幅部及び前記小幅部の高さは、前記第２のケースの板厚以上であり、前記穴部の前記大幅穴部の長さは、前記第１のケースの板厚の２倍以上であり、前記穴部の前記中幅穴部の長さは、前記第１のケースの板厚以上であることを特徴とする請求項２に記載のケース仮保持構造。
【請求項４】
前記穴部は、前記大幅穴部と前記小幅穴部との間に、前記大幅穴部から前記小幅穴部へ向かうにつれて次第に幅が狭くなるテーパ穴部が設けられていることを特徴とする請求項１乃至３のいずれか一項に記載のケース仮保持構造。
【発明の詳細な説明】
【技術分野】
【０００１】
本発明は、ケースを固定する前に仮保持が行えるケース仮保持構造に関する。
【背景技術】
【０００２】
従来、第１のケースに第２のケースを固定する場合に、一旦第１ケースに第２のケースを仮保持することが可能な仮保持構造が知られている（例えば、特許文献１参照）。
第１のケースには爪部を備え、第２のケースには、第１のケースの爪部に引っ掛けられる切り欠きを備え、爪部に切り欠きを引っ掛けることで第２のケースが仮保持される。
【先行技術文献】
【特許文献】
【０００３】
【特許文献１】特開２０１２−５１４１７号公報
【発明の概要】
【発明が解決しようとする課題】
【０００４】
特許文献１では、単に爪部に切欠きを引っ掛けるだけなので、爪部に対して切り欠きがずれたり、爪部から切り欠きが外れたりすることがあり、第１のケースに対する第２のケースの位置決めや仮保持が確実ではない。
また、爪部に切り欠きを引っ掛けた状態で、第２のケースの固定のため、ビスをねじ込むときに、第１のケースに対して第２のケースが回転することがあり、回転に対する対処が必要となる。また、第１のケース及び第２のケースの容量はより大きい方が望ましく、仮保持のための構造はより単純でかつ小型として狭いスペースに配置できる構造が良い。
本発明は、上述した事情を鑑みてなされたものであり、ケースの位置決め、回転止め、仮保持の機能を狭いスペースで且つ単純な構造で成立させることが可能なケース仮保持構造を提供することを目的としている。
【課題を解決するための手段】
【０００５】
上述した課題を解決するため、本発明は、第１のケースに、最も幅の大きな大幅部、次に幅の大きな中幅部、最も幅の小さな小幅部を有する爪部が少なくとも２つ設けられ、前記大幅部、前記中幅部及び前記小幅部は、一体の平板として上下方向に延び、前記第１のケースに保持される第２のケースに、前記大幅部が挿入される大幅穴部、前記中幅部が挿入される中幅穴部、前記小幅部が挿入される小幅穴部からなる穴部が前記爪部と同数設けられ、前記爪部は、その先端部に向かって順に前記小幅部、前記中幅部、前記大幅部が配置され、前記穴部は、前記大幅穴部と前記中幅穴部との間に前記小幅穴部が設けられ、前記平板の両面が指向する方向に、前記大幅穴部、前記小幅穴部及び前記中幅穴部が並んでいることを特徴とする。
【０００６】
この構成によれば、大幅穴部と中幅穴部との間に小幅穴部を設けることで、穴部を略Ｈ形状とすることができ、穴部の端に設けられた中幅穴部と中幅部とを嵌合させることで、第１のケースに対する第２のケースの移動と回転とを規制することが可能になる。
これにより、第１のケースに第２のケースを固定するために第１のケース及び第２のケースにそれぞれビス挿通穴を設けた場合に、それらのビス挿通穴の位置を合致させることができ、ビス挿通穴にビスを容易に挿通させてねじ込むことができる。また、ビスをねじ込む際に、第１のケースに対する第２のケースの回転を防止することができる。上記した爪部及び穴部は単純な構造であり、また、穴部に爪部を挿入する構造であるために大きなスペースを必要としない。
このように、第１のケースに対する第２のケースの位置決め、回転止め、仮保持の機能を狭いスペースで且つ単純な構造で成立させることが可能となる。
【０００７】
上記構成において、前記穴部は略水平面に形成され、前記爪部は上下方向に延びていても良い。この構成によれば、穴部の中幅穴部に爪部の小幅部が位置する状態で第２のケースを下降させることで、穴部の中幅穴部に爪部の中幅部を容易に嵌合させることができ、第２のケースを簡単に仮保持状態とすることができる。
また、上記構成において、前記爪部の前記中幅部及び前記小幅部の高さは、前記第２のケースの板厚以上であり、前記穴部の前記大幅穴部の長さは、前記第１のケースの板厚の２倍以上であり、前記穴部の前記中幅穴部の長さは、前記第１のケースの板厚以上であるので、穴部への爪部の挿入や、穴部へ爪部が挿入されているときの爪部と穴部との相対移動を容易にすることができる。
【０００８】
また、上記構成において、前記穴部は、前記大幅穴部と前記小幅穴部との間に、前記大幅穴部から前記小幅穴部へ向かうにつれて次第に幅が狭くなるテーパ穴部が設けられていても良い。この構成によれば、大幅穴部と小幅穴部との間にテーパ穴部を設けることで、爪部の大幅穴部から小幅穴部への移動をスムーズに行うことができる。
【発明の効果】
【０００９】
本発明は、第１のケースに、最も幅の大きな大幅部、次に幅の大きな中幅部、最も幅の小さな小幅部を有する爪部が少なくとも２つ設けられ、第１のケースに保持される第２のケースに、大幅部が挿入される大幅穴部、中幅部が挿入される中幅穴部、小幅部が挿入される小幅穴部からなる穴部が爪部と同数設けられ、爪部は、その先端部に向かって順に小幅部、中幅部、大幅部が配置され、穴部は、大幅穴部と中幅穴部との間に小幅穴部が設けられるので、大幅穴部と中幅穴部との間に小幅穴部を設けることで、穴部を略Ｈ形状とすることができ、穴部の端に設けられた中幅穴部と中幅部とを嵌合させることで、第１のケースに対する第２のケースの移動と回転とを規制することが可能になる。
【００１０】
これにより、第１のケースに第２のケースを固定する際の第１のケース及び第２のケースにそれぞれ設けられたビス挿通穴の位置を合致させることができ、ビス挿通穴にビスを容易に挿通させてねじ込むことができる。また、ビスをねじ込む際に、第１のケースに対する第２のケースの回転を防止することができる。上記した爪部及び穴部は単純な構造であり、また、穴部に爪部を挿入する構造であるために大きなスペースを必要としない。
このように、第１のケースに対する第２のケースの位置決め、回転止め、仮保持の機能を狭いスペースで且つ単純な構造で成立させることが可能となる。
【図面の簡単な説明】
【００１１】
【図１】本発明の第１実施形態のケースを示す斜視図である。
【図２】ケースを示す分解斜視図である。
【図３】外ケースの手前側係合固定部を示す斜視図である。
【図４】手前側係合部を示す正面図である。
【図５】図２のＶ−Ｖ線断面図である。
【図６】内ケースの手前側被係合固定部を示す斜視図である。
【図７】内ケースの手前側被係合固定部を示す平面図である。
【図８】ケースの組立要領を示す作用図である。
【図９】第２実施形態の手前側被係合固定部を示す平面図である。
【図１０】第３実施形態の手前側係合固定部及び手前側被係合固定部を示す斜視図である。
【図１１】手前側係合部を示す正面図である。
【図１２】手前側被係合固定部を示す平面図である。
【発明を実施するための形態】
【００１２】
以下、図面を参照して本発明の実施形態について説明する。
＜第１実施形態＞
図１は、本発明の第１実施形態のケース１０を示す斜視図である。
ケース１０は、プレートがコ字状に折り曲げられて形成された外ケース１１に、ＣＤ、ＤＶＤ等を駆動するドライブ機構が搭載される内ケース１２を複数のビス１３で組み付けたものである。
外ケース１１と内ケース１２とには、外ケース１１に内ケース１２を位置決め、回転止め及び仮保持可能とする仮保持構造が設けられている。この仮保持構造について、以下に詳述する。
【００１３】
図２は、ケース１０を示す分解斜視図である。
外ケース１１は、略平坦な上壁２１と、上壁２１の左右の縁部２１ａ，２１ｂから下方に延びる平板状の側壁２２，２３とからなるコ字形状を有する。ここで、側壁２２側を外ケース１１の左側、側壁２３側を外ケース１１の右側とする。また、外ケース１１の手前側から奥側への方向又は奥側から手前側への方向を外ケース１１の前後方向とする。
上壁２１は、左右の縁部２１ａ，２１ｂにそれぞれ手前側係合固定部２１ｃ，２１ｃ及び奥側係合固定部２１ｄ，２１ｄが形成されている。手前側係合固定部２１ｃ，２１ｃ及び奥側係合固定部２１ｄ，２１ｄは、外ケース１１に対する内ケース１２の仮保持と固定の両方を行う部分である。
外ケース１１を内ケース１２の組付け時に作業台上に置いたときには、上壁２１は略水平となる。
【００１４】
ここで、仮保持（係合）とは、外ケース１１の一部と内ケース１２の一部とが単に係合した状態であって、外ケース１１に対する内ケース１２の位置決め、回転止めが行われ、更に内ケース１２から手を離しても保持された状態で、外ケース１１と内ケース１２とが固定されていない状態をいう。仮保持の状態では、外ケース１１及び内ケース１２のそれぞれに設けられたビス挿通穴が合致した状態にあり、それらのビス挿通穴にビスを通してねじ込むことで外ケース１１に内ケース１２を固定することが可能である。
【００１５】
縁部２１ａ側の手前側係合固定部２１ｃと奥側係合固定部２１ｄとは、上壁２１の前後方向に延びる側辺２１ｅに沿って並んでいる。また、縁部２１ｂ側の手前側係合固定部２１ｃと奥側係合固定部２１ｄとは、上壁２１の前後方向に延びる側辺２１ｆに沿って並んでいる。即ち、側辺２１ｅ，２１ｆは平行に形成されている。
【００１６】
手前側係合固定部２１ｃは、ビス１３（図１参照）により内ケース１２が固定される手前側固定部２１ｇと、手前側固定部２１ｇから延びる手前側係合部２１ｈとから構成されている。
奥側係合固定部２１ｄは、ビス１３により内ケース１２が固定される奥側固定部２１ｊと、奥側固定部２１ｊの手前側係合固定部２１ｃとは反対側に近接配置された奥側係合部２１ｋとから構成されている。
側壁２２，２３には、内ケース１２以外の内蔵部品が取付けられる。なお、符号２２ａ，２３ａは内蔵部品を固定するために側壁２２，２３にそれぞれ形成された部品固定部である。
【００１７】
内ケース１２は、上方に開放する箱型容器形状を成し、底壁３１と、底壁３１の四辺から一体に立ち上げ形成された前壁３２、後壁３３、左右の側壁３４，３５とから構成される。前壁３２、後壁３３、左右の側壁３４，３５のそれぞれの隣接する部分は、溶接等により接合されている。
左右の側壁３４，３５の上縁には、それぞれ前後方向に隔てて手前側被係合固定部３４ａ，３５ａと奥側被係合固定部３４ｂ，３５ｂとが側壁３４，３５から外側方に延びるように曲げ形成されている。
【００１８】
手前側被係合固定部３４ａ，３５ａは、それぞれ矩形の輪郭を有し、係合穴３６及びビス挿通穴３７を備える。奥側被係合固定部３４ｂ，３５ｂは、それぞれ矩形の輪郭を有し、ビス挿通穴３８を備える。
手前側被係合固定部３４ａ，３５ａは、外ケース１１の手前側係合固定部２１ｃ，２１ｃに係合又は固定され、奥側被係合固定部３４ｂ，３５ｂは、外ケース１１の奥側係合固定部２１ｄ，２１ｄに係合又は固定される。
内ケース１２を外ケース１１に組付ける際に作業台上に置いたときには、手前側被係合固定部３４ａ，３５ａ及び奥側被係合固定部３４ｂ，３５ｂは、略水平となる。また、内ケース１２を外ケース１１に組付けたときには、手前側被係合固定部３４ａ，３５ａ及び奥側被係合固定部３４ｂ，３５ｂは、外ケース１１の上壁２１と略平行となる。
【００１９】
上記したように、２つの手前側係合固定部２１ｃ，２１ｃは外ケース１１の左右に並べられて設けられているが、これに限らず、２つの手前側係合固定部２１ｃ，２１ｃを縁部２１ａ又は縁部２１ｂに前後方向に並べて配置しても良い。これに伴って、手前側被係合固定部３４ａ，３５ａも同じように配置する。更には、２つの手前側係合固定部２１ｃ，２１ｃを、縁部２１ａ及び縁部２１ｂに且つ上壁２１の対角線上に配置しても良い。
また、手前側係合固定部２１ｃ及び手前側被係合固定部３４ａ（又は３５ａ）は、上記した２つに限らず、少なくとも２つ設けられていれば良い。
【００２０】
図３は、外ケース１１の手前側係合固定部２１ｃを示す斜視図である。なお、外ケース１１の上壁２１の縁部２１ａの一部は切断された状態にある。
手前側係合固定部２１ｃの手前側固定部２１ｇは、縁部２１ａにおける側辺２１ｅを含む基準面２１ｍに対して略すり鉢状に窪んだ手前側凹部２１ｎと、手前側凹部２１ｎの底部２１ｐに開けられたビス挿通穴２１ｑとを備える。
手前側凹部２１ｎは、基準面２１ｍから徐々に低くなる傾斜部２１ｒと、傾斜部２１ｒの下端部に位置する底部２１ｐとからなる。
【００２１】
手前側係合固定部２１ｃの手前側係合部２１ｈは、手前側固定部２１ｇの底部２１ｐの手前側端面２１ｘから手前側及び下側に延びる爪状の部分である。
手前側係合部２１ｈは、プレス装置により上壁２１の縁部２１ａに切り曲げ加工が施されて形成された部分であり、手前側係合部２１ｈを形成した後には、図２に示した窓部２１ｙが出来ている。手前側係合部２１ｈは、縁部２１ａに一体に形成されるため、例えば、別部材で縁部２１ａに設けるのに比べて部品数及び工数を削減することができ、コスト低減及び加工時間短縮を図ることができる。
【００２２】
また、窓部２１ｙは、外ケース１１に内ケース１２を仮保持させる際に、外ケース１１の上方から内ケース１２の係合穴３６の位置を確認可能な部分である。例えば、手前側係合部２１ｈの加工とは別に窓部２１ｙを加工する場合には加工工数が増え、加工時間が長くなるが、本実施形態では、手前側係合部２１ｈの加工と同一の工程、あるいは同一の段取りで窓部２１ｙを形成することが可能であるため、加工工数を削減し、加工時間を短縮することができ、生産性を向上させることができる。
【００２３】
図４は、手前側係合固定部２１ｃを示す正面図である。
手前側係合固定部２１ｃの手前側係合部２１ｈは、爪の先端部を構成する最も幅の広い大幅部２４ａと、大幅部２４ａの上端部に一体に大幅部２４ａより幅が狭く形成された中幅部２４ｂと、中幅部２４ｂの上端部に一体に中幅部２４ｂより幅が狭く形成された小幅部２４ｃと、小幅部２４ｃの上端部から一体に奥側に延びて底部２１ｐに繋がる上端部２４ｅとからなる。
【００２４】
大幅部２４ａは、その下端部に下すぼまり形状のテーパ部２４ｄが形成されている。テーパ部２４ｄは、手前側係合部２１ｈを、内ケース１２（図２参照）の係合穴３６（図２参照）に挿入しやすくする部分である。このように、大幅部２４ａ、中幅部２４ｂ及び小幅部２４ｃは一体の平板として上下方向に延びている。
ここで、大幅部２４ａの幅をＷ１、中幅部２４ｂの幅をＷ２、小幅部２４ｃの幅をＷ３とし、大幅部２４ａの高さをＨ１、中幅部２４ｂの高さをＨ２、小幅部２４ｃの高さ（中幅部２４ｂの上端から底部２１ｐまでの高さ）をＨ３とする。
【００２５】
図５は、図２のＶ−Ｖ線縦断面図である。
外ケース１１の手前側係合固定部２１ｃにおいて、手前側固定部２１ｇの底部２１ｐはほぼ水平であり、底部２１ｐに対して手前側係合部２１ｈの大部分は略直角に下方に屈曲している。手前側固定部２１ｇの手前側凹部２１ｎの深さは、ビス挿通穴２１ｑに挿入されるビス１３（図１参照）の頭部の高さより大きいか同じに形成されている。
【００２６】
外ケース１１の奥側係合固定部２１ｄにおいて、奥側固定部２１ｊは、すり鉢状に窪んだ奥側凹部２１ｓと、奥側凹部２１ｓの底部２１ｔに開けられたビス挿通穴２１ｕとを備える。奥側凹部２１ｓは、基準面２１ｍから徐々に低くなる傾斜部２１ｖと、傾斜部２１ｖの下端部に位置する底部２１ｔとからなる。奥側凹部２１ｓの深さは、ビス挿通穴２１ｕに挿入されるビス１３の頭部の高さより大きいか同じに形成されている。
外ケース１１の奥側係合部２１ｋは、プレス成型により切り曲げ加工されて断面Ｌ字のフック状に形成された部分である。なお、符号２１ｗは奥側係合部２１ｋを形成したときに縁部２１ａに開けられた窓部である。
【００２７】
図６は、内ケース１２の手前側被係合固定部３４ａを示す斜視図、図７は、内ケース１２の手前側被係合固定部３４ａを示す平面図である。
図６及び図７に示すように、係合穴３６は、ビス挿通穴３７側から順に配置された大幅穴部３６ａ、小幅穴部３６ｃ、中幅穴部３６ｂからなり、平面視で略Ｈ字状に形成されている。
【００２８】
大幅穴部３６ａは、最も幅の広い部分である。小幅穴部３６ｃは、大幅穴部３６ａに隣り合うように大幅穴部３６ａより幅が狭く形成された部分である。中幅穴部３６ｂは、小幅穴部３６ｃに隣り合うように小幅穴部３６ｃより幅が広く且つ大幅穴部３６ａより幅が狭く形成された部分である。
ここで、大幅穴部３６ａの幅をＡ１、中幅穴部３６ｂの幅をＡ２、小幅穴部３６ｃの幅をＡ３とする。また、大幅穴部３６ａの前後方向の長さをＬ１、中幅穴部３６ｂの前後方向の長さをＬ２、小幅穴部３６ｃの前後方向の長さをＬ３とする。
【００２９】
図４及び図７において、大幅部２４ａの幅Ｗ１＞中幅部２４ｂの幅Ｗ２＞小幅部２４ｃの幅Ｗ３であり、大幅穴部３６ａの幅Ａ１＞中幅穴部３６ｂの幅Ａ２＞小幅穴部３６ｃの幅Ａ３である。
また、大幅部２４ａの幅Ｗ１より大幅穴部３６ａの幅Ａ１が大きく（Ｗ１＜Ａ１）、且つ大幅部２４ａの幅Ｗ１は、中幅穴部３６ｂの幅Ａ２及び小幅穴部３６ｃの幅Ａ３より大きい（Ｗ１＞Ａ２、Ｗ１＞Ａ３）。また、中幅部２４ｂの幅Ｗ２より中幅穴部３６ｂの幅Ａ２が大きく（Ｗ２＜Ａ２）、且つ中幅部２４ｂの幅Ｗ２は、小幅穴部３６ｃの幅Ａ３より大きい（Ｗ２＞Ａ３）。また、小幅部２４ｃの幅Ｗ３より小幅穴部３６ｃの幅Ａ３が大きい（Ｗ３＜Ａ３）。
【００３０】
更に、中幅部２４ｂの高さＨ２及び小幅部２４ｃの高さＨ３は、内ケース１２の板厚Ｔ２以上である（Ｈ２≧Ｔ２、Ｈ３≧Ｔ２）。また、大幅穴部３６ａの長さＬ１は、外ケース１１の板厚Ｔ１の２倍以上であり（Ｌ１≧２ｘＴ１）、中幅穴部３６ｂの長さＬ２は、外ケース１１の板厚Ｔ１以上である（Ｌ２≧Ｔ１）。
【００３１】
図５に戻って、想像線で示した部分は、外ケース１１に対して仮保持状態にある内ケース１２の手前側被係合固定部３４ａ及び奥側被係合固定部３４ｂを示している。
手前側被係合固定部３４ａのビス挿通穴３７に合致するように、手前側被係合固定部３４ａの下面に、バーリング加工によるねじ締結用形状２６が設けられている。ねじ締結用形状２６には、ビス挿通穴２１ｑ，３７に通されたビス１３（図１参照）がねじ込まれる。尚、ねじ締結用形状２６の代わりに、ナットを溶接で取付けるようにしても良い。
【００３２】
奥側被係合固定部３４ｂのビス挿通穴３８に合致するように、奥側被係合固定部３４ｂの下面にねじ締結用形状２６が設けられている。ねじ締結用形状２６には、ビス挿通穴２１ｕ，３８に通されたビス１３がねじ込まれる。
仮保持状態では、内ケース１２の奥側係合部２１ｋに奥側被係合固定部３４ｂが載置されて仮保持されているので、内ケース１２の奥側が下方に撓む又は変位するのを防止することができる。
【００３３】
以上に述べたケース１０の組立要領を次に説明する。
図８は、ケース１０の組立要領を示す作用図である。図８（Ａ）〜図８（Ｄ）は仮保持までの作用を示す作用図、図８（Ｅ）は固定状態を示す作用図である。
図８（Ａ）に示すように、外ケース１１の手前側係合部２１ｈの下方に内ケース１２の係合穴３６の大幅穴部３６ａを配置する。このとき、係合穴３６の位置の調整は、外ケース１１の縁部２１ａ，２１ｂに形成された窓部２１ｙ，２１ｙ（手前側固定部２１ｇ，２１ｇの手前に設けられた部分である。）を通して行う。
【００３４】
そして、内ケース１２を、矢印Ａで示すように、外ケース１１に当たるまで上昇させる。これで、図８（Ｂ）に示すように、外ケース１１の手前側係合部２１ｈが内ケース１２の係合穴３６の大幅穴部３６ａに挿入される。この状態から、内ケース１２を、矢印Ｂで示すように、奥側へ移動させる。この結果、手前側係合部２１ｈの小幅部２４ｃが、係合穴３６の大幅穴部３６ａから小幅穴部３６ｃを通過して、図８（Ｃ）に示すように、中幅穴部３６ｂに至り、中幅穴部３６ｂの手前側端面３６ｄに当たる。このとき、図５において、内ケース１２の奥側被係合固定部３４ｂ，３５ｂ（符号３５ｂについては図２参照）を奥側係合部２１ｋに載せる。
【００３５】
そして、図８（Ｃ）において、内ケース１２を、矢印Ｃで示すように、下降させて、内ケース１２を支えていた手を離す。この結果、図８（Ｄ）に示すように、内ケース１２の手前側被係合固定部３４ａが、手前側係合部２１ｈの大幅部２４ａ（図８（Ａ）参照）に係止されて下方への移動が規制されるとともに、係合穴３６の中幅穴部３６ｂに中幅部２４ｂが係合する。このとき、断面が矩形の中幅部２４ｂが、わずかなクリアランスで矩形の中幅穴部３６ｂに嵌合するため、外ケース１１に対して内ケース１２は、前後方向及び左右方向の移動が規制されるとともに水平面内での回転も規制され、この状態が保たれる。即ち、外ケース１１に対して、内ケース１２が位置決め、回転止め及び仮保持される。
【００３６】
この状態で、外ケース１１のビス挿通穴２１ｑと内ケース１２のビス挿通穴３７とに、図８（Ｅ）に示すように、ビス１３を挿入し、ねじ締結用形状２６（図５参照）にねじ込んで締め付ける。これにより、内ケース１２が、矢印Ｄ（図８（Ｄ）参照）に示すように、上昇して外ケース１１に固定される。
【００３７】
以上の図２、図３、図４及び図７に示したように、第１のケースとしての外ケース１１に、最も幅の大きな大幅部２４ａ、次に幅の大きな中幅部２４ｂ、最も幅の小さな小幅部２４ｃを有する爪部としての手前側係合部２１ｈが少なくとも２つ設けられ、外ケース１１に保持される内ケース１２に、大幅部２４ａが挿入される大幅穴部３６ａ、中幅部２４ｂが挿入される中幅穴部３６ｂ、小幅部２４ｃが挿入される小幅穴部３６ｃからなる穴部としての係合穴３６が手前側係合部２１ｈと同数設けられ、手前側係合部２１ｈは、その先端部に向かって順に小幅部２４ｃ、中幅部２４ｂ、大幅部２４ａが配置され、係合穴３６は、大幅穴部３６ａと中幅穴部３６ｂとの間に小幅穴部３６ｃが設けられる。
【００３８】
この構成によれば、大幅穴部３６ａと中幅穴部３６ｂとの間に小幅穴部３６ｃを設けることで、係合穴３６を略Ｈ形状とすることができ、係合穴３６の端に設けられた中幅穴部３６ｂと中幅部２４ｂとを嵌合させることで、外ケース１１に対する内ケース１２の移動と回転とを規制することが可能になる。
【００３９】
これにより、外ケース１１に内ケース１２を固定するために外ケース１１及び内ケース１２にそれぞれビス挿通穴２１ｑ，２１ｕ，３７，３８を設けた場合に、それらのビス挿通穴２１ｑ，２１ｕ，３７，３８の位置を合致させることができ、ビス挿通穴２１ｑ，２１ｕ，３７，３８にビス１３（図１参照）を容易に挿通させてねじ込むことができる。また、ビス１３をねじ込む際に、外ケース１１に対する内ケース１２の回転を防止することができる。上記した手前側係合部２１ｈ及び係合穴３６は単純な構造であり、また、係合穴３６に手前側係合部２１ｈを挿入する構造であるために大きなスペースを必要としない。このように、外ケース１１に対する内ケース１２の位置決め、回転止め、仮保持の機能を狭いスペースで且つ単純な構造で成立させることが可能となる。
また、従来のように、外ケースをひっくり返して内ケースを組付けるような組付方法を採用しなくても良く、ケース１０の組立作業性を向上させることができる。
【００４０】
また、図２、図５及び図８に示したように、係合穴３６は、略水平面とされた手前側被係合固定部３４ａ，３５ａに形成され、手前側係合部２１ｈは上下方向に延びているので、係合穴３６の中幅穴部３６ｂに手前側係合部２１ｈの小幅部２４ｃが位置する状態で内ケース１２を下降させることで、係合穴３６の中幅穴部３６ｂに手前側係合部２１ｈの中幅部２４ｂを容易に嵌合させることができ、内ケース１２を簡単に仮保持状態とすることができる。これにより、ケース１０の組立作業性を向上させることができる。
【００４１】
また、図４及び図７に示したように、手前側係合部２１ｈの中幅部２４ｂ及び小幅部２４ｃの高さＨ２，Ｈ３は、内ケース１２の板厚Ｔ２以上であり、係合穴３６の大幅穴部３６ａの長さＬ１は、外ケース１１の板厚Ｔ１の２倍以上であり、係合穴３６の中幅穴部３６ｂの長さＬ２は、外ケース１１の板厚Ｔ１以上であるので、係合穴３６への手前側係合部２１ｈの挿入や、係合穴３６へ手前側係合部２１ｈが挿入されているときの手前側係合部２１ｈと係合穴３６との相対移動を容易にすることができる。
【００４２】
＜第２実施形態＞
図９は、第２実施形態の手前側被係合固定部４１を示す平面図である。図７に示した第１実施形態と同一構成については同一符号を付け、詳細説明は省略する。
内ケースの手前側被係合固定部４１は、係合穴４２及びビス挿通穴３７を備える。
係合穴４２は、大幅穴部３６ａと、大幅穴部３６ａに隣り合うように且つ大幅穴部３６ａから離れるにつれて次第に幅が狭くなるように形成されたテーパ穴部４２ｄと、テーパ穴部４２ｄに隣り合うように大幅穴部３６ａより幅が狭く形成された小幅穴部４２ｃと、小幅穴部４２ｃに隣り合うように小幅穴部４２ｃより幅が広く且つ大幅穴部３６ａより幅が狭く形成された中幅穴部３６ｂとからなる。
【００４３】
図９に示したように、係合穴４２は、大幅穴部３６ａと小幅穴部４２ｃとの間に、大幅穴部３６ａから小幅穴部４２ｃへ向かうにつれて次第に幅が狭くなるテーパ穴部４２ｄが設けられているので、大幅穴部３６ａと小幅穴部４２ｃとの間にテーパ穴部４２ｄを設けることで、手前側係合部２１ｈ（図３参照）が、係合穴４２を大幅穴部３６ａから小幅穴部４２ｃ、中幅穴部３６ｂへ移動する際に手前側係合部２１ｈをガイドすることができ、手前側係合部２１ｈの移動をスムーズに行うことができる。
【００４４】
＜第３実施形態＞
図１０は、第３実施形態の手前側係合固定部５３及び手前側被係合固定部５４を示す斜視図である。図３に示した第１実施形態と同一構成については同一符号を付け、詳細説明は省略する。
外ケース５１の手前側係合固定部５３は、ビス１３（図１参照）により内ケース５２が固定される手前側固定部２１ｇと、手前側固定部２１ｇから延びる手前側係合部５６とから構成されている。
内ケース５２の手前側被係合固定部５４は、係合穴６１及びビス挿通穴３７を備える。
【００４５】
図１１は、手前側係合部５６を示す正面図である。
手前側係合部５６は、大幅部２４ａと、大幅部２４ａから一体に大幅部２４ａより幅が狭く形成された小幅部５６ｃと、小幅部５６ｃの上端部から一体に奥側に延びて底部２１ｐに繋がる上端部２４ｅとからなる。
ここで、大幅部２４ａの幅はＷ１、小幅部２４ｃの幅はＷ３であり、大幅部２４ａの高さはＨ１である。小幅部２４ｃの高さ（大幅部２４ａの上端から底部２１ｐまでの高さ）をＨ４とすると、Ｈ４＝Ｈ２（図４参照）＋Ｈ３（図４参照）となる。
【００４６】
図１２は、手前側被係合固定部５４を示す平面図である。
係合穴６１は、大幅穴部３６ａと、大幅穴部３６ａに隣り合うように大幅穴部３６ａより幅が狭く形成された小幅穴部６１ｃとからなり、平面視でＴ字状に形成されている。なお、符号６１ｄは小幅穴部６１ｃの手前側端面である。
ここで、大幅穴部３６ａの幅はＡ１、小幅穴部６１ｃの幅はＡ３である。また、大幅穴部３６ａの前後方向の長さはＬ１である。小幅穴部６１ｃの前後方向の長さをＬ４とすると、Ｌ４＝Ｌ２（図７参照）＋Ｌ３（図７参照）となる。
【００４７】
以上に述べた外ケース５１への内ケース５２の組付要領を次に説明する。
図１０〜図１２において、外ケース５１の手前側係合部５６の下方に内ケース５２の係合穴６１の大幅穴部３６ａを配置する。このとき、係合穴６１の位置の調整は、外ケース５１の縁部２１ａ，２１ｂ（図２参照）に形成された窓部２１ｙ，２１ｙ（図２参照）を通して行う。
【００４８】
そして、内ケース５２を、外ケース５１に当たるまで上昇させる。これにより、外ケース５１の手前側係合部５６が内ケース５２の係合穴６１の大幅穴部３６ａに挿入される。この状態から、内ケース５２を、奥側へ移動させる。この結果、手前側係合部５６の小幅部５６ｃが、係合穴６１の大幅穴部３６ａから小幅穴部６１ｃに至り、小幅穴部６１ｃの手前側端面に当たる。このとき、内ケース５２の奥側被係合固定部（不図示）を外ケース５１の奥側係合部（不図示）に載せる。
【００４９】
そして、内ケース５２を、下降させて、内ケース５２を支えていた手を離す。この結果、内ケース５２の手前側被係合固定部５４が、手前側係合部５６の大幅部２４ａに係止されて下方への移動が規制される。この状態が、外ケース１１に対して、内ケース１２が位置決め、回転止め及び仮保持された状態である。
【００５０】
２つの爪部である手前側被係合固定部５４と、２つの穴部である係合穴６１とによって、外ケース５１に対して内ケース５２は回転止めされるから、固定用のビスを締め込む際に内ケース５２が回転するのを防止することができる。また、小幅部５６ｃが小幅穴部６１ｃの手前側端面に当って位置決めされているので、固定用に外ケース５１及び内ケース５２に設けられたビス挿通穴が合致した状態にあるため、ビスを容易にビス挿通穴に通してねじ込むことができる。
【００５１】
外ケース５１に内ケース５２が仮保持された状態で、外ケース５１のビス挿通穴２１ｑと内ケース５２のビス挿通穴３７とに、ビス１３（図１参照）を挿入し、ねじ締結用形状２６（図５参照）にねじ込んで締め付ける。これにより、内ケース５２が上昇して、外ケース５１に固定される。
【００５２】
上述した実施形態は、あくまでも本発明の一態様を示すものであり、本発明の主旨を逸脱しない範囲で任意に変形及び応用が可能である。
例えば、上記した各実施形態では、外ケースに爪部である手前側係止部を設け、内ケースに穴部である係合穴を設けたが、これに限らず、外ケースに穴部を設け、内ケースに爪部を設けても良い。
【符号の説明】
【００５３】
１１  外ケース（第１のケース）
１２  内ケース（第２のケース）
２１ｈ  手前側係合部（爪部）
２４ａ  大幅部
２４ｂ  中幅部
２４ｃ  小幅部
３６，４２  係合穴（穴部）
３６ａ  大幅穴部
３６ｂ  中幅穴部
３６ｃ，４２ｃ  小幅穴部
４２ｄ  テーパ穴部
Ｈ２  中幅部の高さ
Ｈ３  小幅部の高さ
Ｌ１  大幅穴部の長さ
Ｌ２  中幅穴部の長さ
Ｔ１  外ケースの板厚（第１のケースの板厚）
Ｔ２  内ケースの板厚（第２のケースの板厚）
【図１】
0006374245.tif 000002
【図２】
0006374245.tif 000003
【図３】
0006374245.tif 000004
【図４】
0006374245.tif 000005
【図５】
0006374245.tif 000006
【図６】
0006374245.tif 000007
【図７】
0006374245.tif 000008
【図８】
0006374245.tif 000009
【図９】
0006374245.tif 000010
【図１０】
0006374245.tif 000011
【図１１】
0006374245.tif 000012
【図１２】
0006374245.tif 000013